(57)【要約】【課題】内側紙葉がめくりやすい冊子を提供する。【解決手段】切欠部２ａを有する枠紙葉２と、切欠部２ａ内に挿入された内側紙葉３を、別々にめくることができるように、複数枚の枠紙葉２及び複数枚の内側紙葉３をリング状綴じ具４で綴じたカレンダー（冊子）１であって、枠紙葉２と内側紙葉３の間に隙間５を設けた。枠紙葉２の切欠部２ａには、めくり用切欠部２ｂを設けてもよい。枠紙葉２の枚数と内側紙葉３の枚数は、異なってもよい。【選択図】図１
0003210230.tif 000002
【実用新案登録請求の範囲】
【請求項１】
切欠部を有する枠紙葉と、前記切欠部内に挿入された内側紙葉を、別々にめくることができるように、複数枚の前記枠紙葉及び複数枚の前記内側紙葉をリング状綴じ具で綴じた冊子であって、
前記枠紙葉と前記内側紙葉の間に隙間を設けたことを特徴とする冊子。
【請求項２】
前記枠紙葉の切欠部にめくり用切欠部を設けた請求項１に記載の冊子。
【請求項３】
前記枠紙葉の枚数と前記内側紙葉の枚数が異なる請求項１又は２に記載の冊子。
【請求項４】
最上部の前記枠紙葉及び最上部の前記内側紙葉が表紙である請求項１から３のいずれかに記載の冊子。
【請求項５】
複数枚の前記枠紙葉及び複数枚の前記内側紙葉の上に、前記枠紙葉及び前記内側紙葉を覆うように表紙を綴じた請求項１から３のいずれかに記載の冊子。
【請求項６】
最下部の前記枠紙葉及び最下部の前記内側紙葉が表紙である請求項１から５のいずれかに記載の冊子。
【請求項７】
複数枚の前記枠紙葉及び複数枚の前記内側紙葉の下に、前記枠紙葉及び前記内側紙葉を覆うように表紙を綴じた請求項１から５のいずれかに記載の冊子。
【請求項８】
前記枠紙葉の切欠部を前記内側紙葉と相似するように形成した請求項１から７のいずれかに記載の冊子。
【請求項９】
前記枠紙葉の表面と裏面の少なくともいずれかに表示事項を表示した請求項１から８のいずれかに記載の冊子。
【請求項１０】
前記内側紙葉の表面と裏面の少なくともいずれかに表示事項を表示した請求項１から９のいずれかに記載の冊子。
【請求項１１】
前記表紙の表面と裏面の少なくともいずれかに表示事項を表示した請求項４から７のいずれかに記載の冊子。
【考案の詳細な説明】
【技術分野】
【０００１】
本考案は、紙葉を枠紙葉と内側紙葉に分割し、枠紙葉と内側紙葉を別々にめくることができるように、複数枚の枠紙葉及び複数枚の内側紙葉をリング状綴じ具で綴じたカレンダー、ノート、絵本、アドレス帳、メモ帳、スケッチブック、各種の企業ノベルティー冊子等の冊子に関するものである。
【背景技術】
【０００２】
従来のこの種の冊子としては、
絵図が印刷されてなる台紙（紙葉）を、一部の絵図を有する型抜き部（内側紙葉）と、この型抜き部以外の枠部（枠紙葉）に形成し、
この台紙を複数枚、型抜き部と枠部を別々に捲れるように綴り込み、
前頁の型抜き部の捲り跡に形成される空間部を通じて、次頁の型抜き部に印刷している絵図を現出させるように構成した
ことを特徴とする絵本（例えば、特許文献１参照。）等が知られている。
【先行技術文献】
【特許文献】
【０００３】
【特許文献１】特開平１０−１１８３５２号公報（請求項１、図１、等）
【考案の開示】
【考案が解決しようとする課題】
【０００４】
しかし、上記のような従来の冊子においては、内側紙葉がめくりにくいという問題点がある。
【０００５】
本考案は、以上のような事情や問題点に鑑みてなされたものであり、内側紙葉がめくりやすい冊子を提供することを目的とする。
【課題を解決するための手段】
【０００６】
上記目的を達成するための第１の考案は、切欠部を有する枠紙葉と、前記切欠部内に挿入された内側紙葉を、別々にめくることができるように、複数枚の前記枠紙葉及び複数枚の前記内側紙葉をリング状綴じ具で綴じた冊子であって、前記枠紙葉と前記内側紙葉の間に隙間を設けたものである。
【０００７】
第２の考案は、前記枠紙葉の切欠部にめくり用切欠部を設けたものである。
【０００８】
第３の考案は、前記枠紙葉の枚数と前記内側紙葉の枚数が異なるものである。
【０００９】
第４の考案においては、最上部の前記枠紙葉及び最上部の前記内側紙葉が表紙である。
【００１０】
第５の考案は、複数枚の前記枠紙葉及び複数枚の前記内側紙葉の上に、前記枠紙葉及び前記内側紙葉を覆うように表紙を綴じたものである。
【００１１】
第６の考案においては、最下部の前記枠紙葉及び最下部の前記内側紙葉が表紙である。
【００１２】
第７の考案は、複数枚の前記枠紙葉及び複数枚の前記内側紙葉の下に、前記枠紙葉及び前記内側紙葉を覆うように表紙を綴じたものである。
【００１３】
第８の考案は、前記枠紙葉の切欠部を前記内側紙葉と相似するように形成したものである。
【００１４】
第９の考案は、前記枠紙葉の表面と裏面の少なくともいずれかに表示事項を表示したものである。
【００１５】
第１０の考案は、前記内側紙葉の表面と裏面の少なくともいずれかに表示事項を表示したものである。
【００１６】
第１１の考案は、前記表紙の表面と裏面の少なくともいずれかに表示事項を表示したものである。
【考案の効果】
【００１７】
第１の考案によれば、内側紙葉をめくりやすい。
【００１８】
第２の考案によれば、めくり用切欠部に指を挿入しやすいので、内側紙葉をより簡単にめくることができる。
【００１９】
第３の考案によれば、枠紙葉と内側紙葉のいずれか一方の枚数を他方の枚数よりも増やすことができる。
【００２０】
第４〜第７の考案によれば、枠紙葉や内側紙葉を保護することができる。
【００２１】
第８の考案によれば、枠紙葉と内側紙葉の隙間をほぼ一定にできるので、枠紙葉と内側紙葉の間に無駄な空間が形成されない。
【００２２】
第９の考案によれば、枠紙葉部分を種々の用途に利用することができる。
【００２３】
第１０の考案によれば、内側紙葉部分を種々の用途に利用することができる。
【００２４】
第１１の考案によれば、表紙部分を種々の用途に利用することができる。
【図面の簡単な説明】
【００２５】
【図１】第１実施形態におけるカレンダーの概略正面図である。
【図２】図１の左方向から見た概略拡大左側面図である。
【図３】内側紙葉をめくり上げた状態を示す概略正面図である。
【図４】枠紙葉をめくり上げた状態を示す概略正面図である。
【図５】第２実施形態におけるカレンダーの概略正面図である。
【図６】第３実施形態におけるノートの概略正面図である。
【図７】図６の背面方向から見た概略背面図である。
【図８】内側紙葉の表紙及び枠紙葉の表紙を左側へめくった状態を示す概略正面図である。
【図９】第４実施形態における絵本において、枠紙葉及び内側紙葉を途中のページまでめくった状態を示す概略正面図である。
【考案を実施するための形態】
【００２６】
以下、本考案の実施形態について、図面に基づいて説明する。
第１実施形態におけるカレンダー（冊子）１は、図１〜図４に示すように、枠紙葉２と内側紙葉３を別々にめくることができるように、複数枚の枠紙葉２及び複数枚の内側紙葉３をリング状綴じ具４で綴じ、枠紙葉２と内側紙葉３の間に隙間５を設けたものである。
【００２７】
枠紙葉２の端部には、例えば四角形状の切欠部２ａが設けられている。内側紙葉３は、例えば四角形状に形成されており、枠紙葉２の切欠部２ａ内に挿入されている。枠紙葉２と内側紙葉３の間には、隙間５が設けられている。複数枚の枠紙葉２及び複数枚の内側紙葉３は、リング状綴じ具４で綴じられている。このように、カレンダー１においては、紙葉が枠紙葉２と内側紙葉３に分割されており、枠紙葉２と内側紙葉３を別々にめくることができるようになっている。
【００２８】
枠紙葉２の切欠部２ａや内側紙葉３の形状は、特に限定されるものではなく、必要に応じて適宜変更可能である。リング状綴じ具４の構成も、特に限定されるものではなく、従来公知の各種の構成を採用することができる。枠紙葉２や内側紙葉３は、リング状綴じ具４に対して着脱自在であってもよい。
【００２９】
枠紙葉２の切欠部２ａの例えば中央には、例えば半円状のめくり用切欠部２ｂが設けられている。めくり用切欠部２ｂの形状は、半円状の他、半楕円状、四角形状、逆三角形状、逆台形状等であってもよい。めくり用切欠部２ｂの位置も、特に限定されるものではなく、必要に応じて適宜変更可能である。
【００３０】
リング状綴じ具４には、吊り下げ部６ａを突設した吊り下げ部材６が装着されている。内側紙葉３の端部には、内側紙葉３をめくった際に吊り下げ部６ａを回避するための回避用切欠部３ａが設けられている。吊り下げ部材６の構成は、特に限定されるものではなく、従来公知の各種の構成を採用することができる。
【００３１】
冊子としては、本実施形態及び第２実施形態のようなカレンダー１、２１の他、第３実施形態のようなノート３１、第４実施形態のような絵本４１、アドレス帳、メモ帳、スケッチブック、各種の企業ノベルティー冊子等が挙げられる。また、枠紙葉２と内側紙葉３の組み合わせにより、複数の機能を有する冊子にしてもよい。このような複数の機能を有する冊子としては、特に限定されるものではないが、例えば、内側紙葉３又は枠紙葉２の部分をメモにしたメモ付きカレンダー、メモ付きノート、メモ付きアドレス帳や、内側紙葉３又は枠紙葉２の部分をカレンダーにしたカレンダー付きノート、カレンダー付きアドレス帳等が挙げられる。
【００３２】
枠紙葉２の表面や内側紙葉３の表面には、表示事項７が表示されている。表示事項７としては、カレンダーの月表・日表・年表、写真、絵画、キャラクター画像、罫線、絵本の絵・文章、企業ノベルティーの広告等が挙げられる。表示事項７は、枠紙葉２の裏面や内側紙葉３の裏面に表示してもよいし、枠紙葉２の表面及び裏面や内側紙葉３の表面及び裏面に表示してもよいし、あるいは、枠紙葉２や内側紙葉３に表示しなくてもよい。表示事項７の表示範囲は、特に限定されるものではなく、枠紙葉２の表面全体や裏面全体、内側紙葉３の表面全体や裏面全体等であってもよい。このように、枠紙葉２や内側紙葉３に表示事項７を表示しておけば、枠紙葉２部分や内側紙葉３部分を種々の用途に利用できるという利点がある。
【００３３】
上記のように構成されたカレンダー１によれば、枠紙葉２と内側紙葉３を別々にめくることができるので、枠紙葉２のページと内側紙葉３のページを所望の組み合わせにした状態で使用することができる。また、枠紙葉２と内側紙葉３の間に隙間５を設けているので、内側紙葉３をめくりやすいという利点がある。更に、本実施形態のように、枠紙葉２の切欠部２ａにめくり用切欠部２ｂを設けておけば、めくり用切欠部２ｂに指を挿入しやすいので、内側紙葉３をより簡単にめくることができるという利点がある。
【００３４】
ここで、枠紙葉２の枚数と内側紙葉３の枚数は、同じでもよいし、あるいは、異なってもよいが、異なる場合には、枠紙葉２と内側紙葉３のいずれか一方の枚数を他方の枚数よりも増やすことができるという利点がある。このように、枠紙葉２と内側紙葉３のいずれか一方の枚数を他方の枚数よりも増やし、例えば、枚数が多い方の枠紙葉２又は内側紙葉３に表示事項７として、プロ野球チームの全員の顔写真、アイドルグループの全員の顔写真、全国の特急車両の写真、あるいは、歴代の特撮テレビドラマヒーローの写真等をそれぞれ表示しておけば、各ファン（ユーザー）目線に立った、魅力ある商品としての冊子にすることができる。
【００３５】
第２実施形態におけるカレンダー（冊子）２１は、図５に示すように、第１実施形態において、内側紙葉３を例えば改札済みの鉄道切符の形状に形成したものである。
【００３６】
本実施形態において、例えば、内側紙葉３の表面に表示事項７としての電車の写真を表示し、枠紙葉２の表面に表示事項７としての１カ月分又は２カ月分の月表を表示しておくと共に、枠紙葉２をめくっても内側紙葉３をめくらなければ、内側紙葉３に表示された電車の写真を何カ月でも鑑賞することができる。このように、内側紙葉３や枠紙葉２の切欠部２ａは、所望の形状に形成することができる。
【００３７】
第３実施形態におけるノート（冊子）３１は、図６〜図８に示すように、第１実施形態において、最上部の枠紙葉２及び最上部の内側紙葉３が表紙３２であり、複数枚の枠紙葉２及び複数枚の内側紙葉３の下に、枠紙葉２及び内側紙葉３を覆うように表紙３２を綴じたものである。
【００３８】
枠紙葉２の表紙３２の表面や内側紙葉３の表紙３２の表面には、表示事項３７が表示されている。表紙３２の表示事項３７は、枠紙葉２や内側紙葉３の表示事項７と同様の内容の他、冊子全体のタイトル、枠紙葉２部分のタイトル、内側紙葉３部分のタイトル等であってもよい。表示事項３７は、表紙３２の裏面に表示してもよいし、表紙３２の表面及び裏面に表示してもよいし、あるいは、表紙３２に表示しなくてもよい。表示事項３７の表示範囲も、特に限定されるものではなく、表紙３２の表面全体や裏面全体等であってもよい。このように、表紙３２に表示事項３７を表示しておけば、表紙３２部分を種々の用途に利用できるという利点がある。
【００３９】
また、複数枚の枠紙葉２及び複数枚の内側紙葉３の下に、枠紙葉２及び内側紙葉３を覆うように表紙３２を綴じる代わりに、最下部の枠紙葉２及び最下部の内側紙葉３が表紙３２であってもよい。更に、最上部の枠紙葉２及び最上部の内側紙葉３が表紙３２である代わりに、複数枚の枠紙葉２及び複数枚の内側紙葉３の上に、枠紙葉２及び内側紙葉３を覆うように表紙３２を綴じてもよい。表紙３２の材質としては、厚紙やプラスチックシート等が挙げられる。表紙３２も、リング状綴じ具４に対して着脱自在であってもよい。
【００４０】
このように、最上部の枠紙葉２及び最上部の内側紙葉３を表紙３２にしたり、複数枚の枠紙葉２及び複数枚の内側紙葉３の下に、枠紙葉２及び内側紙葉３を覆うように表紙３２を綴じたり、複数枚の枠紙葉２及び複数枚の内側紙葉３の上に、枠紙葉２及び内側紙葉３を覆うように表紙３２を綴じたり、あるいは、最下部の枠紙葉２及び最下部の内側紙葉３を表紙３２にしたりしておけば、枠紙葉２や内側紙葉３を保護できるという利点がある。
【００４１】
第４実施形態における絵本（冊子）４１は、図９に示すように、第３実施形態において、枠紙葉２の切欠部２ａを内側紙葉３と相似するように形成したものである。
【００４２】
本実施形態において、例えば、内側紙葉３の表面に表示事項７としての絵本の絵・文章を表示し、枠紙葉２の表面に表示事項７としての絵本の絵・文章を表示しておけば、内側紙葉３のお話と枠紙葉２のお話を別々に進行させることもできる。
【００４３】
このように、枠紙葉２の切欠部２ａを内側紙葉３と相似するように形成しておけば、枠紙葉２と内側紙葉３の隙間５をほぼ一定にできるので、枠紙葉２と内側紙葉３の間に無駄な空間が形成されないという利点がある。
【産業上の利用可能性】
【００４４】
以上のように、本考案の冊子は、内側紙葉がめくりやすいカレンダー、ノート、絵本、アドレス帳、メモ帳、スケッチブック、各種の企業ノベルティー冊子、複数の機能を有する冊子等として有用である。
【符号の説明】
【００４５】
１  カレンダー（冊子）
２  枠紙葉
２ａ  切欠部
２ｂ  めくり用切欠部
３  内側紙葉
４  リング状綴じ具
５  隙間
７  表示事項
２１  カレンダー（冊子）
３１  ノート（冊子）
３２  表紙
３７  表示事項
４１  絵本（冊子）
【図１】
0003210230.tif 000003
【図２】
0003210230.tif 000004
【図３】
0003210230.tif 000005
【図４】
0003210230.tif 000006
【図５】
0003210230.tif 000007
【図６】
0003210230.tif 000008
【図７】
0003210230.tif 000009
【図８】
0003210230.tif 000010
【図９】
0003210230.tif 000011